(57)【要約】      （修正有）【課題】犬の散歩に手軽に携帯しやすく、衛生的で、また手にフンの匂いがつかず、更にはフンを入れた袋の美観をよくするなど種々の利点を備えることによって、環境破壊防止の一助となる犬のフン処理パックを提供する。【解決手段】道路や公園などに晒されている犬のフンや、犬の散歩中に生じたフンの処理において、フンを挟む長ばさみ１と、手袋２と、フンを収納する袋３から構成され、使用前は前記袋３に長ばさみ１と手袋２が納められているものである。【選択図】図１
2005046127.tif 000002
【特許請求の範囲】
【請求項１】
道路や公園などに晒されている犬のフンや、犬の散歩中に生じたフンの処理において、フンを挟む長ばさみと、手袋と、フンを収納する袋から構成され、使用前は前記袋に長ばさみと手袋が納められているものであって、
長ばさみは、フンを挟んで袋に納めることが出来る強度を有する紙質製のものであり、
手袋は、着脱が容易で且つ手から離れないように締め付けるひもを備えたポリエチレン製のものであり、
袋は、挟みあげた全てのフンを納めることが出来、且つ口には口を閉じるひもを備え、内部のフンが見えないように不透明もしくは模様を印刷したポリエチレン製ものであり、
これらのもの全てにはフンの脱臭としてハーブなどの香料を含有させたことを特徴とする犬のフン処理パック。
【発明の詳細な説明】
【発明の詳細な説明】
【技術分野】
【０００１】  本発明は、環境破壊防止の一環として、道路や公園などに晒されている犬のフンや、犬の散歩中に生じたフンの処理において、フンを挟む長ばさみと、手袋と、フンを収納する袋から構成され、使用前は前記袋に長ばさみと手袋が納められている犬のフン処理パックに関するものである。
【背景技術】
【０００２】  犬を散歩させている人が携帯しているものは、ポリエチレン袋とティツシュペーパーを入れたカバンや袋のみの場合が多い。そして、犬がフンをしたときはこのティツュペーパーでフンを摘まんでこのポリエチレン袋に入れている光景がよく見られるところである。また、別に金属製の長ばさみを所持している場合もある。
また、道端や公園などの場所に放置されているフンを取り除く場合は、鉄製の長ばさみで摘まんでポリエチレン袋に入れている光景がよく見られる。
【発明が解決しようとする課題】
【０００３】  しかしながら、このようなフン処理では下記のような課題がある。
犬がフンをした後始末をしないで立ち去るのは、フンを処理する道具を所持していなかったり、フンの匂いが手につくのを嫌うなどの点が挙げられる。
すなわち、ティッシュペーパーで摘まむ場合には何枚も重ねて摘ままないことには手にフンの匂いがついたり、また不衛生であったりする。
また、ティツシュペーパーの替わりに鉄製の長ばさみを所持する場合は、このものを持ち歩くことは犬を連れているためにかなりの負担となる。また、道端や公園などの場所に放置されているフンを取り除くために、鉄製の長ばさみで摘まんでポリエチレン袋に入れられているような場合も同様な点が考えられる。
本発明は、上述した点に鑑みて創案されたもので、その目的とするところは、これらの課題を解消し、犬の散歩に手軽に携帯しやすく、衛生的で、また手にフンの匂いがつかず、更にはフンを入れた袋の美観をよくするなど種々の利点を備えることによって、環境破壊防止の一助となる犬のフン処理パックを提供することにある。
【課題を解決するための手段】
【０００４】  つまり、その目的を達成するための手段は、
道路や公園などに晒されている犬のフンや、犬の散歩中に生じたフンの処理において、フンを挟む長ばさみと、手袋と、フンを収納する袋から構成され、使用前は前記袋に長ばさみと手袋が納められているものであって、
長ばさみは、フンを挟んで袋に納めることが出来る強度を有する紙質製のものであり、
手袋は、着脱が容易で且つ手から離れないように締め付けるひもを備えたポリエチレン製のものであり、
袋は、挟みあげた全てのフンを納めることが出来、且つ口には口を閉じるひもを備え、内部のフンが見えないように不透明もしくは模様を印刷したポリエチレン製ものであり、
これらのもの全てにはフンの脱臭としてハーブなどの香料を含有させたことを特徴とする犬のフン処理パックである。なお、全てのものに匂いを含ませない場合もあり、また手袋や袋の材質としてポリエチレン以外の例えば繊維質のものや、ビニールなどの材質であってもよい。更に、これらのものはリサイクル製品として得られるならば最も好ましい。
以下、本発明の一実施例に基づいて詳述する。
【発明を実施するための最良の形態】
【０００５】  図１は本発明の犬のフン処理パックを示す説明図、図２は本発明の要旨とする長ばさみの斜視図、図３は図２のア部詳細図、図４は手袋の説明図、図５はひもの締め付け部詳細図、図６は袋の説明図、図７は袋の締め付け部の詳細図である。
図１において、  道路や公園などに晒されている犬のフンや、犬の散歩中に生じたフンの処理において、フンを挟む長ばさみ１と、手袋２と、フンを収納する袋３から構成され、使用前は前記袋３に長ばさみ１と手袋２が納められ、締め付けひも３ａで袋３の口が閉じられるようになっている。【０００６】  図２において、長ばさみ１は、フンを挟んで袋３に納めることが出来る強度を有する紙質製のものである。この長ばさみ１は、図示しているごとく、平板状のものから打ち抜いたり、型鋼などから得られ、打ち抜いた平板状のものを中央から折り曲げて形成されたものである。また、折り曲げ部分には折り曲げが容易なようにミシン目が入れられている。
更に、長ばさみ１の形状は、図２では末端部に従って幅が広くなっているが、これに限定されたものではない。
材質として、フンを挟む強度を持たせる点については、繊維の方向によったり、他の材料を付設もしくは混入したりするなど種々の手段がある。
この長ばさみ１は、いずれ捨てられるものであって、特にリサイクル製品から得られるものであれば最も好ましい。【０００７】  図３において、フンを挟む部分には、挟んだフンが脱落しないように略三角形状のもの１ａが形成されている。この部分は三角形状に限定されたものではなく、フンが脱落しないような突起部を形成したり、他の材質のものを付設したりする場合もある。【０００８】  図４において、手袋２は、着脱が容易で且つ手から離れないように締め付けるひも２ａを備えたポリエチレン製のもので、親指とその他の指をまとめたものから形成されている。この形状は如何様であってもよい。また、この手袋２は長ばさみ１と同様に、リサイクル製品から得られるものであれば最も好ましい。更に材質としてポリエチレン以外の例えば繊維質のものや、ビニールなどいかようの材質であってもよい。【０００９】  ひも２ａは、図５に示す如く、一個所の矢印Ａ方向に引くことによって締め付けられるよう手袋２の口に形成されている。なお、後述する図７のように形成する場合もある。【００１０】  図６において、袋３は、挟みあげた全てのフンを納めることが出来、且つ口には口を閉じる締め付けひも３ａを備え、内部のフンが見えないように不透明もしくは図示していない模様を印刷したポリエチレン製ものである。模様としては、不透明な表面に犬の絵や文字を印刷したりするなど種々のものが形成される。【００１１】  一本の締め付けひも３ａは、図７に示す如く、二個所の矢印Ｂ，Ｂ‘方向から引くことによって、袋３の口が閉じられるよう口の部分に形成されている。もちろん図５に示す場合もある。そして、この袋３も前述と同様にして、材質としてポリエチレン以外の例えば繊維質のものや、ビニールなどいかようの材質であってもよい。また、リサイクル製品から得られるものであれば最も好ましい。
これらのもの全てにフンの脱臭効果としてハーブなどの香料を含有させることによって、パックとしてより扱いやすく且つフン処理の弊害を無くすようにしたものである。なお、前述したひもの材質についてはいかようのものであってもよい。
【発明の効果】
【００１２】  以上説明したように本発明によれば、犬の散歩に手軽に携帯しやすく、衛生的で、また手にフンの匂いがつかず、更にはフンを入れた袋に模様をつけることによって美観をよくするなど種々の利点を備え、このことによって、環境破壊防止の一助となり、実用上、極めて有用性の高いものである。
【図面の簡単な説明】
【図１】  本発明の犬のフン処理パックを示す説明図である。
【図２】  本発明の要旨とする長ばさみの斜視図である。
【図３】  図２のア部詳細図である。
【図４】  手袋の説明図である。
【図５】  ひもの締め付け部詳細図である。
【図６】  袋の説明図である。、
【図７】  袋の締め付け部の詳細図である。
【符号の説明】
１    長ばさみ
１ａ  三角形状のもの
２    手袋
２ａ  ひも
３    袋
３ａ  締め付けひも
【図１】
2005046127.tif 000003
【図２】
2005046127.tif 000004
【図３】
2005046127.tif 000005
【図４】
2005046127.tif 000006
【図５】
2005046127.tif 000007
【図６】
2005046127.tif 000008
【図７】
2005046127.tif 000009